(57)【要約】【課題】演出部材を画面前側にて予測し得ない形で移動させることでサプライズ性を醸し出すと共に、演出部材の移動の仕方を遊技者に予め読み難くなるように構成した遊技機を提供する。【解決手段】演出装置１３が、上昇位置と落下位置との間を移動する演出部材２８と、該演出部材に連結された連結支持部材２９を昇降自在に支持する支持部３４と、上昇位置で連結支持部材を遮蔽しつつ演出部材を収容する収容部とを有し、支持部３４が、演出部材を上昇位置と落下位置との間で移動案内するスリット部と、少なくとも上昇位置にあっては該スリット部を遮蔽する遮蔽部材７５とを有する。このため、演出部材の落下の仕方を遊技者に予め読まれないようにすることができ、予測し得ない形で落下する演出部材にて、演出上の刺激を最大限に発揮し、より大きなサプライズ性を与えることができる。【選択図】図４
2009082400.tif 000002
【特許請求の範囲】
【請求項１】
遊技領域に、演出装置と、画像表示装置の画面を露出する開口部と、を有するセンター役物を備え、前記遊技領域に遊技球を打ち出して遊技してなる遊技機において、
前記演出装置は、
移動に備える待機位置と前記画面の前側に位置する演出位置との間を移動する演出部材と、
前記演出部材に連結された連結支持部材を移動自在に支持する支持部と、
前記待機位置にて前記連結支持部材を遮蔽しつつ前記演出部材を収容する収容部と、を有し、
前記支持部は、前記演出部材を前記待機位置と前記演出位置との間で移動案内するスリット部と、少なくとも前記待機位置にあっては該スリット部を遮蔽する遮蔽部材と、を有してなる、
ことを特徴とする遊技機。
【請求項２】
前記支持部は、前記スリット部を有し、かつ該スリット部に挿入された前記連結支持部材を支持した状態で移動する移動部材を内包するケース部材を有し、
前記遮蔽部材は、前記ケース部材における前記スリット部の内側にあって前記移動部材及び前記連結支持部材と一体的に移動するように配置された長尺で且つ該スリット部より幅広の遮蔽パネルである、
請求項１記載の遊技機。
【発明の詳細な説明】
【技術分野】
【０００１】
本発明は、パチンコ機等の遊技機に係り、詳しくは、センター役物に備えた演出装置に所謂サプライズ性を持たせた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカーを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
このようなパチンコ機において、本体部と先端部とを備えた可動部材を、液晶画面の前側で該画面に沿って揺動させるように構成したものが知られている（特許文献１参照）。当該パチンコ機では、可動部材を揺動させると、その動きが異なる方向の揺動に変換されて先端部に伝達される。
【０００５】
【特許文献１】特開２００７−７５３２５号公報
【発明の開示】
【発明が解決しようとする課題】
【０００６】
ところで、上記特許文献１に記載のパチンコ機では、先端部を本体部と共に揺動させたり、先端部自体を本体部の揺動とは異なる方向に揺動させたりすることで、可動部材の動作を斬新なものにし得るものの、液晶画面の前側での可動部材の動作は単調で緩慢なものであり、演出動作に対する驚き、所謂サプライズ性に欠ける面があった。
【０００７】
このような問題を解消するために、遊技領域に配置したセンター飾りの上部から演出部材を該センター飾りの中央部に突然落下させて、新奇でサプライズ性のある演出を提供する演出装置が本発明者によって考えられている。しかし、このような演出装置にあっては、演出部材の落下の仕方が遊技者に予め読まれてしまうと、折角突然落下するように構成しても、落下時に遊技者に与える演出上の刺激が半減してしまい、より大きなサプライズ性を追求することが困難となる。
【０００８】
そこで本発明は、演出部材を画面前側にて予測し得ない形で移動させることで所謂サプライズ性を醸し出すように構成すると共に、該演出部材の移動の仕方が遊技者によって予め読み難いものとなるように構成し、もって上述した課題を解決した遊技機を提供することを目的とするものである。
【課題を解決するための手段】
【０００９】
請求項１に係る本発明は（例えば図１ないし図１０参照）、遊技領域（３ａ）に、演出装置（１３）と、画像表示装置（３５）の画面（３５ａ）を露出する開口部（３６）と、を有するセンター役物（２３）を備え、前記遊技領域（３ａ）に遊技球（Ｂａ）を打ち出して遊技してなる遊技機（１）において、
前記演出装置（１３）は、
移動に備える待機位置（図４に示す位置）と前記画面（３５ａ）の前側に位置する演出位置（図５に示す位置）との間を移動する演出部材（２８）と、
前記演出部材（２８）に連結された連結支持部材（２９）を移動自在に支持する支持部（３４）と、
前記待機位置にて前記連結支持部材（２９）を遮蔽しつつ前記演出部材（２８）を収容する収容部（４）と、を有し、
前記支持部（３４）は、前記演出部材（２８）を前記待機位置と前記演出位置との間で移動案内するスリット部（３４ｂ）と、少なくとも前記待機位置にあっては該スリット部（３４ｂ）を遮蔽する遮蔽部材（７５）と、を有してなる、
ことを特徴とする遊技機（１）にある。
【００１０】
請求項２に係る本発明は（例えば図６及び図７参照）、前記支持部（３４）が、前記スリット部（３４ｂ）を有し、かつ該スリット部（３４ｂ）に挿入された前記連結支持部材（２９）を支持した状態で移動する移動部材（６６）を内包するケース部材（Ｃａ）を有し、
前記遮蔽部材は、前記ケース部材（Ｃａ）における前記スリット部（３４ｂ）の内側にあって前記移動部材（６６）及び前記連結支持部材（２９）と一体的に移動するように配置された長尺で且つ該スリット部（３４ｂ）より幅広の遮蔽パネル（７５）である、
請求項１記載の遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、演出装置が、移動に備える待機位置と画面の前側に位置する演出位置との間を移動する演出部材と、演出部材に連結された連結支持部材を移動自在に支持する支持部と、待機位置にて連結支持部材を遮蔽しつつ演出部材を収容する収容部とを有し、支持部が、演出部材を待機位置と演出位置との間で移動案内するスリット部と、少なくとも待機位置にあっては該スリット部を遮蔽する遮蔽部材とを有するので、待機位置にあってはスリット部をその内側から遮蔽部材によって遮蔽し、演出部材の移動の仕方が遊技者に予め読まれないようにすることができる。従って、予測し得ない形で移動する演出部材により、演出上の刺激を最大限に発揮し、より大きなサプライズ性を遊技者に与えることができる。
【００１３】
請求項２に係る本発明によると、遮蔽部材が、ケース部材におけるスリット部の内側にあって移動部材及び連結支持部材と一体的に移動するように配置された長尺で且つ該スリット部より幅広の遮蔽パネルであるので、主に遮蔽パネルを用いただけの簡単な構成により、スリット部を確実に遮蔽し得る構造を得ることができ、従って、部品点数を削減し、コストダウンも期待することができる。
【発明を実施するための最良の形態】
【００１４】
以下、本発明に係る遊技機の実施形態として、遊技場等に設置されるパチンコ機を図面に沿って説明する。後述する各実施の形態では、本発明の遊技機を所謂１種のパチンコ機として述べるが、本発明はこれに限らず、所謂１種１種など他の種別のパチンコ機にも適用可能であることは勿論である。なお、図１は、本発明の実施形態におけるパチンコ機１の外部構造を示す正面図である。
【００１５】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たり（特別遊技状態）が発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１６】
図１に示すように、本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方には、スピーカー（図示せず）を有する放音装置１２がそれぞれ配設されている。また、ガラス枠１０における右側部には、前扉７を筐体６側に施錠したり解放したりするための施錠装置１８が配設されている。なお、筐体６及び前扉７等から遊技機本体が構成されている。
【００１７】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００１８】
また、皿ユニット１６の右側には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００１９】
遊技領域３ａの中央部には、該遊技領域３ａに打ち出された遊技球を導入し得る左右のワープ導入口３７を有するセンター飾り（センター役物）２３が配設されている。このセンター飾り２３の中央部分には開口部３６が形成され、かつ該開口部３６の下部にはステージＳが設けられている。センター飾り２３のステージＳにおける左右には、左右のワープ導入口３７からそれぞれ導入された遊技球をステージＳに放出する放出口４４がそれぞれ形成されている。ステージＳの中央下部には、該ステージＳ上を転動して案内口３９に落下した遊技球を始動チャッカー２７に向けて落下させるための放出口４９が形成されている。
【００２０】
遊技盤３には画像表示装置３５が、開口部３６から画面３５ａを露出させた状態で遊技盤裏面から装着・固定されている。センター飾り２３の左右下方には、大当たり抽選に寄与しない一般の入賞が行われる一般入賞口２５ａ，２５ｂ，２６ａ，２６ｂが配設されており、センター飾り２３の下方には、始動チャッカー２７とアタッカー５とが順次配設されている。
【００２１】
始動チャッカー２７は、大当たり抽選実行の契機となり得る入賞が行われるものであり、始動チャッカー開閉ソレノイド７０（図９参照）によって開放位置と閉止位置とに開閉動作するように作動させられる。始動チャッカー２７の直上方には、所謂命釘としての一対の障害釘３０が打ち込まれている。
【００２２】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２３】
遊技領域３ａには、センター飾り２３の左右に風車３１が配設されており、ステージＳの下方における始動チャッカー２７の左右には、普通図柄作動ゲート（スルーゲート）３２が配設されている。この普通図柄作動ゲート３２は、始動チャッカー２７を開閉動作させるための抽選の契機となる遊技球通過が行われる役物である。
【００２４】
遊技領域３ａにおける普通図柄作動ゲート３２、一般入賞口２５ａ，２５ｂ，２６ａ，２６ｂ、始動チャッカー２７等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７の周囲及びその上方側にも、遊技球を適宜散らし、或いは入球に導くようにするための多数の障害釘が打ち込まれている。
【００２５】
なお、本実施形態における「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７の左右に打ち込まれた複数本の障害釘（図示せず）の列を意味するもので、上方から転動落下してきた遊技球を始動チャッカー２７方向に導く役割を担っている。
【００２６】
次に、センター飾り２３の構造について図２及び図３を参照して説明する。なお、両図はセンター飾り２３の構造をそれぞれ詳細に示す正面図であり、図２は演出装置１３の演出部材２８が上昇位置にあり且つ演出装置４２の可動部材Ｍが下降位置にある状態を示し、図３は演出部材２８が落下位置にあり且つ可動部材Ｍが上昇位置にある状態を示している。なお、上記上昇位置は、画面３５ａの前側から演出部材２８が外れた状態（即ち、落下移動に備える状態）となる該演出部材２８の待機位置であり、上記落下位置は、画面３５ａの前側に演出部材２８が位置する演出位置である。
【００２７】
すなわち、図２及び図３に示すように、センター飾り２３は、遊技盤３（図１参照）を前後方向から挟んだ形でそれぞれ該遊技盤３の表面及び裏面に固定される前枠体２３ａ及び後枠体２３ｂを有している。遊技盤３の前後方向で一体化した前枠体２３ａ及び後枠体２３ｂにより開口部３６が形成されており、該開口部３６には、最上部の上昇位置（待機位置）と中央部の落下位置（演出位置）との間で移動する演出部材２８が設けられている。該演出部材２８は、ロゴ等が記されて発光演出し得るものであり、左右に延びる連結支持部材２９，２９を介して昇降自在に支持されており、上昇位置にあっては、前枠体２３ａにおける開口部３６の上部に形成された収容部４に収容される。
【００２８】
そして、開口部３６の下方縁部には、所定の契機で可動部材Ｍを上昇、下降させる演出装置４２が配設されている。演出装置４２の前側には、可動部材Ｍの下降位置と上昇位置のそれぞれで異なる表示部分を現出させるための開口部６０が形成されている。また、後枠体２３ｂ最上部には、遊技盤３に形成された同形状の開口２４（図１参照）に嵌め込まれて露出する所定形状の照明部３３が配置されている。
【００２９】
遊技盤３の表側に位置する前枠体２３ａは、演出装置４２の下側に位置するステージＳを有している。該ステージＳの左右には、前述したワープ導入口３７及び放出口４４がそれぞれ設けられている。ステージＳの後方には壁部４８が設けられている。該ステージＳの左右方向中央部には案内口３９が形成されており、該案内口３９は、ステージＳを転動する遊技球を受け入れた際、該遊技球を始動チャッカー２７に高確率（略々１００％）で入賞させ得るように構成されている。
【００３０】
ここで、上記演出部材２８を有する演出装置１３について、図４ないし図７を参照して詳細に説明する。なお、図４及び図５は、演出装置１３の全体構成を概略的に示す正面図であり、図４は演出部材２８が上昇位置（図２も併せて参照）にある状態を示し、図５は演出部材２８が落下位置（図３も併せて参照）にある状態を示している。図６及び図７は、左側の支持部３４の構成を拡大して示す斜視図であり、図６は演出部材２８が上昇位置にあるときの状態を示し、図７は演出部材２８が落下位置にあるときの状態を示している。
【００３１】
図４及び図５に示すように、上記演出装置１３は、センター飾り２３の後枠体２３ｂに設けられており、画面３５ａの前側にて上昇位置に上昇した後、落下位置に落下する上記演出部材２８と、センター飾り２３の左右幅方向の左右にそれぞれ配置され、演出部材２８を昇降部材（移動部材）６６を介して昇降自在に支持する支持部３４，３４と、上昇位置にて連結支持部材２９，２９を遮蔽しつつ演出部材２８を収容する収容部４と、演出部材２８と共に落下した昇降部材６６，６６を下方で担持する担持部６０，６０と、を有している。上記収容部４に演出部材２８が収容される場合、該演出部材２８の左右に延びる連結支持部材２９，２９は、図２に示すように、周囲の飾り部５６に覆われて、パチンコ機１の前側で遊技している遊技者には視認し得ない状態になる。
【００３２】
つまり、上記演出部材２８は、開口部３６の上下方向の中間部を上記落下位置とし、該開口部３６の上方の収容部４を上記上昇位置として、開口部３６内方を移動する。該移動は、後枠体２３ｂの中央上部に配置された昇降装置６３によって牽引／解放される左右の吊り下げ部材６４，６４を介して昇降動作させられる。該昇降装置６３には、モータ６５（図９参照）が内蔵されると共に、該モータ６５の回転を、不図示のギヤ機構を介して吊り下げ部材６４，６４に伝達することで、昇降部材６６，６６を上昇位置と落下位置との間で移動させる。なお、符号７４は、先端が昇降部材６６の上部に固定された吊り下げ部材６４を転接・支持するプーリを示す。
【００３３】
上記担持部６０は、落下した昇降部材６６の運動エネルギーを吸収する粘弾性部材６８と、上記運動エネルギーを更に吸収するコイル状のバネ部材７２と、を有している。該バネ部材７２は、下端部を固定部６１に当接させると共に上端部を支持板６９の下面に嵌挿している。
【００３４】
なお、本実施形態では、演出部材２８がその左右に延在する連結支持部材２９，２９を介して左右の支持部３４，３４にそれぞれ連結されているが、このような両持ち構造に限らず、左右いずれか一方の連結支持部材２９によって該一方の側の支持部３４に連結する片持ち構造とすることも可能である。
【００３５】
本実施形態において、左右の支持部３４，３４は、相互に同様の構成を備えて線対称の関係を有するので、ここでは左側の支持部３４についてのみ構成を説明し、右側の支持部３４については説明を省略する。
【００３６】
上記支持部３４は、スリット部３４ｂを有し、かつ該スリット部３４ｂに挿入された連結支持部材２９を支持した状態で昇降する昇降部材６６を内包するケース部材Ｃａを有している。即ち、該ケース部材Ｃａは、上下方向に長尺な略直方体状に構成されており、内方の長手方向に形成された移動空間３４ａと、演出部材２８側に向いて上下方向に長尺に形成された上記スリット部３４ｂと、を有する。
【００３７】
該スリット部３４ｂは、演出部材２８を上昇位置と落下位置との間で移動案内するものであり、該演出部材２８が上昇位置にある図６の状態から落下位置にある図７の状態まで移動案内し得るように長尺に貫通形成されている。該スリット部３４ｂは、演出部材２８が落下位置に落下移動して連結支持部材２９が図７に示す位置になった際でも、更に下方に余裕があるように形成されている。上記移動空間３４ａには、上記昇降部材６６が昇降移動自在に収容されている。該昇降部材６６は、上下方向に長い直方体状に形成され、上部に挿入された連結支持部材２９の端部を抜止め支持するように構成される。
【００３８】
後枠体２３ｂに固定されているケース部材Ｃａの前側には、前枠体２３ａが装着されてセンター飾り２３が組立てられるのであるが、その際、図６及び図７に示すケース部材Ｃａの後側と前側は後枠体２３ｂと前枠体２３ａによって挟み込まれることになり、スリット部３４ｂの前側は、図２に示すように、前枠体２３ａにおける開口部３６の左縁部によって覆われることになる。
【００３９】
ケース部材Ｃａの内部において、昇降部材６６におけるスリット部３４ｂに面する側には、ケース部材Ｃａの長手方向に長尺に形成された遮蔽パネル（遮蔽部材）７５が設けられている。該遮蔽パネル７５は、ケース部材Ｃａにおけるスリット部３４ｂの内側にあって昇降部材６６及び連結支持部材２９と一体的に昇降移動する長尺で且つ該スリット部３４ｂより幅広に構成されている。そして、遮蔽パネル７５は、昇降部材６６に端部を挿入されて該昇降部材６６に抜止め支持される連結支持部材２９の該端部を貫通させる貫通穴７５ｃを有し、該貫通穴７５ｃに連結支持部材２９を貫通させた状態で上端部７５ａを昇降部材６６の上端部に固定すると共に、下端部７５ｂを移動空間３４ａ内にて垂下させている。このように構成された遮蔽パネル７５は、図６に示す上昇位置にあってはスリット部３４ｂをその内側から遮蔽し、演出部材２８の落下の仕方が遊技者に予め読まれないようにしている。
【００４０】
以上のように本実施形態では、演出装置１３が、上昇位置と落下位置との間を昇降移動する演出部材２８と、演出部材２８に連結された連結支持部材２９を昇降自在（移動自在）に支持する支持部３４と、上昇位置にて連結支持部材２９を遮蔽しつつ演出部材２８を収容する収容部４とを有し、支持部３４が、演出部材２８を上昇位置と落下位置との間で移動案内するスリット部３４ｂと、少なくとも上昇位置にあっては該スリット部３４ｂを遮蔽する遮蔽部材７５と、を有している。このように、上昇位置にあってはスリット部３４ｂをその内側から遮蔽パネル７５で遮蔽し、演出部材２８の落下の仕方を遊技者に予め読まれないようにしているため、突然、つまり予測し得ない形で落下移動する演出部材２８により、落下移動による演出上の刺激を最大限に発揮し、より大きなサプライズ性を遊技者に与えることができる。
【００４１】
ここで、上記ケース部材Ｃａは、透明以外の色状態、即ち黒色や青色などのようにケース部材内部を遮蔽して視認できなくするように構成され、且つ遮蔽パネル７５も同じ色状態に構成されているため、スリット部３４ｂの存在がより一層分かり難くなるようにされている。また、図７の落下位置において、遮蔽パネル７５の下端部７５ｂ側の部位は、昇降部材６６が粘弾性部材６８及びバネ部材７２で担持されることで形成される移動空間３４ａの下方部分にて吸収される
【００４２】
なお、本実施形態では、遮蔽パネル７５は、図６の上昇位置においてのみスリット部３４ｂを上から下まで遮蔽するように構成されているが、これに限らず、図７の落下位置においても昇降部材落下後のスリット部３４ｂを遮蔽パネル７５で遮蔽するように構成することもできる。その場合は、図７に破線で示すように、ケース部材Ｃａの移動空間３４ａにおける最上部付近の前後に、スリット部３４ｂの幅方向に軸５４ａを向けたローラ５４と軸５５ａを向けたローラ５５とを回転自在に配置すると共に、遮蔽パネル７５の上端部７５ａを更に上方に延設し、該延設部７５ｄをローラ５４，５５に巻き掛けるように構成する。該延設部７５ｄは、上端部７５ａから下方のパネル状の部分とは異なり、ローラ５４，５５に沿って曲がるように可撓性を有している。そして、延設部７５ｄの上部は、スリット部３４ｂと反対側にてケース部材Ｃａの外方に突出させて、不図示のスプリングや重り等によって下方に付勢するように構成する。この構成によると、遮蔽パネル７５により、スリット部３４ｂを、上昇位置のみならず落下位置においても遮蔽することができる。
【００４３】
ついで、本パチンコ機１の背面構造について図８を参照して説明する。同図は、本パチンコ機１の背面構造を示す背面図である。
【００４４】
すなわち、図８に示すように、パチンコ機１の前扉背面における上部左方には、賞球タンク４３が取り付けられており、この賞球タンク４３の下方に、副制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１８が配設されている。
【００４５】
次に、本実施形態におけるパチンコ機１の制御系を図９に沿って説明する。なお、同図は本パチンコ機の制御系を示すブロック図である。
【００４６】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置８，１１、画像表示装置３５、及び昇降装置６３に内蔵されたモータ６５と、を備えている。
【００４７】
遊技制御装置８０は、図９に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４８】
遊技制御装置８０は、入賞判定手段８１、入賞信号出力手段８２、抽選手段８３、普通図柄抽選手段９４、遊技制御手段８６、保留手段８７、作動制御手段８８、作動判定手段８９、作動決定手段９０、演出制御手段９１、及び表示制御手段９２を備えている。
【００４９】
入賞判定手段８１は、発射ハンドル２の操作で作動する発射装置（図示せず）によって遊技領域３ａに打ち出された遊技球が始動チャッカー２７、一般入賞口２５ａ，２５ｂ，２６ａ，２６ｂ、アタッカー５等の何れかに入賞したとき、当該入賞があった旨を判定する。
【００５０】
入賞信号出力手段８２は、入賞判定手段８１によって入賞が判定されたとき、対応する始動チャッカー２７、一般入賞口２５ａ，２５ｂ，２６ａ，２６ｂ、アタッカー５等に入賞した旨の入賞信号を出力する。
【００５１】
抽選手段８３は、遊技領域３ａに打ち出された遊技球の入賞を契機として大当たり抽選（即ち、特別遊技状態に移行するか否かの抽選）を実行する。すなわち、抽選手段８３は、入賞信号出力手段８２からの始動チャッカー２７に対応する入賞信号の入力時、最大保留球数未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、大当たり乱数値を取得して、大当たり抽選を実行する。
【００５２】
そして抽選手段８３は、大当たり抽選で確変当たりに当選した場合、演出乱数値に基づく抽選で、変動の結果、確変当たりに対応する「１１１」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。また抽選手段８３は、大当たり抽選で通常当たりに当選した場合、変動の結果、通常当たりに対応する「２２２」等の図柄が大当たり有効ライン上で最終的に揃う旨の変動パターンを決定し、その旨の変動パターン信号を出力する。更に抽選手段８３は、大当たり抽選に外れた場合、変動の結果、外れに対応する「２５２」等の図柄が大当たり有効ライン上で最終的に揃う旨の変動パターンを決定し、その旨の変動パターン信号を出力する。
【００５３】
普通図柄抽選手段９４は、始動チャッカー２７を開閉動作させるための普通図柄抽選を、普通図柄作動ゲート３２への遊技球通過を契機として行う。
【００５４】
遊技制御手段８６は、放音装置１２、演出用照明装置８，１１に放音、発光の演出をさせる契機となる指令、或いは、昇降装置６３に落下／上昇作動の演出をさせる契機となる指令を演出制御手段９１に送る。また遊技制御手段８６は、予め設定された演出データや、抽選手段８３での抽選結果に応じて、画像表示装置３５に表示すべき大当たり抽選に関連する演出内容に関する信号を表示制御手段９２に送る。
【００５５】
保留手段８７は、抽選手段８３から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球となるように点灯表示される。保留手段８７は、保留球数が例えば４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５６】
作動制御手段８８は、作動決定手段９０の作動開始決定の旨の信号に基づき、始動チャッカー開閉ソレノイド７０に駆動信号を送って該ソレノイド７０を作動させ、始動チャッカー２７を開放させ或いは閉塞させる。更に作動制御手段８８は、アタッカー開閉ソレノイド７１に駆動信号を送って該ソレノイド７１を作動させ、抽選手段８３での抽選による大当たり発生時にアタッカー５を開放して所定数入賞が終了する（又は所定時間が経過する）毎に閉塞する動作を所定回数（所定ラウンド）だけ繰り返すように制御する。
【００５７】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、普通図柄抽選手段９４において抽選手段８３の大当たり抽選とは別途行われる普通図柄抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時の全てのラウンドにおける入賞を完了した場合である。
【００５８】
作動決定手段９０は、作動判定手段８９からの判定信号を受けて、始動チャッカー開閉ソレノイド７０、アタッカー開閉ソレノイド７１の作動開始をそれぞれに決定する。
【００５９】
演出制御手段９１は、遊技制御手段８６からの指令に応答して、放音装置１２を放音駆動し、演出用照明装置８，１１を発光駆動し、遊技者の聴覚や視覚に訴える演出を行う。また演出制御手段９１は、遊技制御手段８６からの指令に応答して、昇降装置６３により演出部材２８を落下／上昇駆動し、遊技者の視覚に訴える演出を行う。
【００６０】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、抽選手段８３による各抽選結果を、画像表示装置３５の画面３５ａに時系列に表示する。
【００６１】
次に、本パチンコ機１による作用について、図１０のフローチャートを併せて参照しつつ説明する。
【００６２】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、始動チャッカー２７や一般入賞口２５ａ，２５ｂ，２６ａ，２６ｂに適時入賞し、或いは、これらに関与せずに転動落下して、遊技領域３ａ最下部のアウト口（図示せず）から遊技盤３背面側に排出される。
【００６３】
遊技領域３ａに打ち出された遊技球の一部がワープ導入口３７に入球すると、その遊技球は、放出口４４を介してステージＳに放出される。該放出された遊技球は、ステージＳ上を転動し、案内口３９に上手く落下した遊技球は、放出口４９を経由して始動チャッカー２７に高い入賞確率（略１００％）で入賞する。
【００６４】
放出口４９から放出された遊技球は、上述のように高確率で始動チャッカー２７に入賞することになるが、障害釘３０への当接状況によっては入賞できないこともある。一方、案内口３９に導入されない遊技球の多くは、ステージＳ下方に放出されて始動チャッカー２７とは異なる方向に落下するが、場合によっては、始動チャッカー２７とは異なる方向に落下しても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入賞するものもある。
【００６５】
ところで、始動チャッカー２７や一般入賞口２５ａ，２５ｂ，２６ａ，２６ｂの何れかに遊技球が入賞した場合には、入賞判定手段８１が当該入賞を判定し、且つ入賞信号出力手段８２が入賞信号を出力する（ステップＳ２）。
【００６６】
そして、大当たり抽選で当選した場合（ステップＳ３）、抽選手段８３が当たりフラグをオンすると、演出乱数値に基づく抽選で、大当たりの種別、つまり確変当たり又は通常当たりに対応する変動パターンが決定される。
【００６７】
これにより、ステップＳ４において、画像表示装置３５に表示されるべき当たり図柄がセットされ、抽選手段８３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００６８】
そして、遊技制御手段８６が、画像表示装置３５の画面３５ａに表示すべき演出内容に関する信号を、表示制御手段９２に送信することに基づき、表示制御手段９２は、画像表示装置３５を駆動し、大当たり抽選結果に関する内容等を、遊技者の視覚に訴えるように演出表示する（ステップＳ５）。この際、遊技制御手段８６から指令が出ていれば、演出制御手段９１は、画面３５ａ上の演出に合わせて、放音装置１２を放音駆動し、或いは、演出用照明装置８，１１を発光駆動して、演出を盛り上げるように作動制御する。更に、演出装置１３を作動させる旨の指令が遊技制御手段８６から出ていれば、演出制御手段９１は、画面３５ａ上の演出に合わせて昇降装置６３のモータ６５を作動させ、例えば上昇位置にある演出部材２８を落下位置まで一気に落下させ、演出を盛り上げるように制御する。該演出部材２８は、当該演出の終了とともにモータ６５の逆転作動で、落下位置から上昇位置に復帰させられることになる。
【００６９】
そして、画面３５ａ上に表れた抽選結果が大当たり決定である場合、作動制御手段８８は、作動決定手段９０の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出される（ステップＳ６）。
【００７０】
ところで、上述した演出部材２８の落下作動が、本パチンコ機１に向かって遊技する遊技者にとって初めてである場合、図２の状態にあるセンター飾り２３では、演出画像を表示している画面左右のスリット部３４ｂが図６のように遮蔽パネル７５で遮蔽されて、これら両スリット部３４ｂが覆い隠された状態にある。従って、左右に延びる連結支持部材２９，２９が周囲の飾り部５６に覆われた状態で収容部４に収容される演出部材２８は、連結支持部材２９，２９の落下時の移動軌跡でもあるスリット部３４ｂ，３４ｂもが遊技者から視認できない状態になっていることから、当該遊技者は、落下以前に当該演出部材２８の作動の仕方を知ることはできない。このため、演出上の或る契機で演出部材２８が落下位置に突然落下した際、遊技者は、大きな驚きとともに、それに伴う大当たり発生への大きな期待感を持つことになる。
【００７１】
そして、本実施形態では、遮蔽パネル７５が、ケース部材Ｃａにおけるスリット部３４ｂの内側にあって昇降部材６６及び連結支持部材２９と一体的に昇降移動するように配置された長尺で且つ該スリット部３４ｂより幅広な構成を有するので、主に遮蔽パネル７５を用いただけの簡単な構成により、スリット部３４ｂを確実に遮蔽し得る構造を得ることができる。これにより、部品点数を削減し、コストダウンを期待できるようになる。
【００７２】
なお、本実施形態では、演出部材２８を画面３５ａ前側にてセンター飾り２３の上下方向に昇降移動させる例を挙げて説明したが、本発明はこれに限定されるものではなく、例えば、演出部材２８を画面３５ａ前側にてセンター飾り２３の左右方向に移動させるように支持した演出装置１３に適用することも可能である。その場合、支持部３４は演出部材２８を画面３５ａ左右方向に移動支持する構成となり、且つスリット部３４ｂも画面３５ａの上縁部と下縁部において画面左右方向に延在する構成となる。このように構成した場合も、前述した実施形態と略々同様の効果を得ることが可能になる。
【００７３】
以上、本発明をその好適な実施形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７４】
【図１】本発明に係るパチンコ機の外部構造を示す正面図である。
【図２】センター飾りの構造を詳細に示す正面図である。
【図３】センター飾りの構造を詳細に示す正面図である。
【図４】演出装置の全体構成を概略的に示す正面図である。
【図５】演出装置の全体構成を概略的に示す正面図である。
【図６】左側の支持部の構成を拡大して示す斜視図である。
【図７】左側の支持部の構成を拡大して示す斜視図である。
【図８】本パチンコ機の背面構造を示す背面図である。
【図９】本パチンコ機の制御系を示すブロック図である。
【図１０】本パチンコ機による作用を説明するためのフローチャートである。
【符号の説明】
【００７５】
１    遊技機（パチンコ機）
３ａ    遊技領域
４    収容部
１３    演出装置
２３    センター役物（センター飾り）
２８    演出部材
２９    連結支持部材
３４    支持部
３４ｂ    スリット部
３５    画像表示装置
３５ａ    画面
３６    開口部
６６    移動部材（昇降部材）
７５    遮蔽部材（遮蔽パネル）
Ｂａ    遊技球
Ｃａ    ケース部材
【図１】
2009082400.tif 000003
【図２】
2009082400.tif 000004
【図３】
2009082400.tif 000005
【図４】
2009082400.tif 000006
【図５】
2009082400.tif 000007
【図６】
2009082400.tif 000008
【図７】
2009082400.tif 000009
【図８】
2009082400.tif 000010
【図９】
2009082400.tif 000011
【図１０】
2009082400.tif 000012